(57)【要約】【課題】  投写画像の画質の低下を容易に防ぎ得るプロジェクタおよび画像投写システムを提供する。【解決手段】  画像を投写する投写光学系を備えたプロジェクタであって、風を送るファン部と、そのファン部から送られてくる風を、投写光学系の前面またはその近傍に導く第１のダクト部とを備える。【選択図】        図５
2005173119.tif 000002
【特許請求の範囲】
【請求項１】
画像を投写する投写光学系を備えたプロジェクタであって、
風を送るファン部と、
前記ファン部から送られてくる風を、前記投写光学系の前面またはその近傍に導く第１のダクト部と、
を備えたことを特徴とするプロジェクタ。
【請求項２】
請求項１に記載のプロジェクタにおいて、
前記ファン部は、前記プロジェクタの所定の光学部品を冷却するために風を送り、
前記第１のダクト部は、前記所定の光学部品を冷却した後の風を、前記投写光学系の前面またはその近傍に導くことを特徴とするプロジェクタ。
【請求項３】
請求項１に記載のプロジェクタにおいて、
前記第１のダクト部により、前記投写光学系の前面またはその近傍に導かれた前記風を、前記プロジェクタの所定の光学部品へ、該所定の光学部品を冷却するために導く第２のダクト部を備えたことを特徴とするプロジェクタ。
【請求項４】
請求項１ないし請求項３のいずれかに記載のプロジェクタにおいて、
前記第１のダクト部は、前記ファン部からの前記風を、上方から下方へ前記投写光学系の前面またはその近傍に導くことを特徴とするプロジェクタ。
【請求項５】
請求項１ないし請求項４のいずれかに記載のプロジェクタにおいて、
前記投写光学系の前面またはその近傍に導かれる前記風は前記プロジェクタの外部から取り込まれると共に、前記風が前記外部から前記前面またはその近傍に至るまでの流路中に、
通過する空気に含まれる少なくとも塵またはヤニを取り除くフィルタを備えることを特徴とするプロジェクタ。
【請求項６】
画像を投写するプロジェクタを備えた画像投写システムであって、
前記プロジェクタを覆い、前記プロジェクタが画像を投写した際に画像を表わす画像光を透過する画像透過部を備えたプロジェクタカバーと、
風を送るファン部と、
前記プロジェクタ保護部における前記画像光透過部に、前記ファン部から送られてくる前記風を導くダクト部と、
を備えたことを特徴とする画像投写システム。
【請求項７】
請求項６に記載の画像投写システムにおいて、
前記ファン部は、
通過する空気に含まれる少なくとも塵またはヤニを取り除くフィルタを備え、
前記フィルタにより少なくとも塵またはヤニを取り除いた空気を前記風として送ることを特徴とする画像投写システム。
【請求項８】
請求項６に記載の画像投写システムにおいて、
前記ダクト部は、
通過する空気に含まれる少なくとも塵またはヤニを取り除くフィルタを備えたことを特徴とする画像投写システム。
【発明の詳細な説明】
【技術分野】
【０００１】
本発明は、画像を鮮明に投写するためのプロジェクタおよび画像投写システムに関する。
【背景技術】
【０００２】
従来から、会議室やパチンコホールなどにおいて、プレゼンテーションや情報提供等のために予め備え付けられたプロジェクタが用いられている。このようなプロジェクタの多くは、壁や天井などの比較的人の手の届きにくいところに設置される。
一方、会議室やパチンコホールなどにプロジェクタを設置すると、塵やタバコのヤニなどがプロジェクタの投写レンズ前面に付着し、画像をスクリーンに投写表示した際には投写画像の画質が低下するという問題があった。また、このようにプロジェクタの投写レンズに塵やタバコのヤニなどが付着するのを防止するため、プロジェクタを保護ガラスなどで密閉する方法もあるが、結局、保護ガラスの表面に塵やタバコのヤニなどが付着してしまい、プロジェクタからの画像をその保護ガラスを介して投写表示した際には、投写画像の画質が低下するという問題があった。
なお、従来において、このような問題を解決する技術として、対象はプロジェクタではないが、特許文献１に記載された技術がある。特許文献１に記載の技術では、テレビカメラのレンズにワイパ装置を取り付けて、テレビカメラのレンズに塵やタバコのヤニなどが付着するのを防止するようにしている。
【０００３】
【特許文献１】特開平５−６８１９２号公報
【発明の開示】
【発明が解決しようとする課題】
【０００４】
しかしながら、特許文献１に記載の技術を、上述のようにプロジェクタの投写レンズやプロジェクタを覆っている保護ガラスにおける塵やタバコのヤニの付着防止に応用するにしても、ワイパ装置をプロジェクタやプロジェクタを覆っている保護ガラスに搭載するためには、駆動モータや遠隔制御装置など種々の制御装置が必要であった。
【０００５】
本発明は、上記課題にかんがみてなされたものであり、投写画像の画質の低下を容易に防ぎ得るプロジェクタおよび画像投写システムの提供を目的とする。
【課題を解決するための手段】
【０００６】
上記目的の少なくとも一部を達成するために、本発明のプロジェクタは、画像を投写する投写光学系を備えたプロジェクタであって、
風を送るファン部と、
前記ファン部から送られてくる風を、前記投写光学系の前面またはその近傍に導く第１のダクト部と、
を備えたことを要旨とする。
【０００７】
このようにすれば、例え、空気中に含まれる塵やタバコのヤニなどが、投写光学系の前面に近づこうとしても、導かれた風により遮られるため、投写光学系の前面に塵やタバコのヤニなどが付着するのを容易に抑止することができる。従って、プロジェクタの投写画像の画質の低下を防ぐことができる。
【０００８】
また、上記投写光学系の前面としては、例えば、最前列の投写レンズのレンズ面や、投写レンズの前に、それを保護する保護ガラスがある場合には、そのガラス面など、考えられる。
【０００９】
なお、風を投写光学系の前面またはその近傍に導くとは、投写光学系の前面に風を直接当てる場合の他、投写光学系の前面もしくはその近傍に、エアカーテンを形成するように、導く場合も含む。
【００１０】
上記プロジェクタにおいて、
前記ファン部は、前記プロジェクタの所定の光学部品を冷却するために風を送り、
前記第１のダクト部は、前記所定の光学部品を冷却した後の風を、前記投写光学系の前面またはその近傍に導くようにしてもよい。
【００１１】
このようにすれば、投写光学系の前面に導く風としては、所定の光学部品を冷却した後の風を利用しているため、投写光学系の前面またはその近傍に風を導くための新たなファンを設ける必要がない。なお、所定の光学部品としては、例えば、クロスダイクロイックプリズム、液晶ライトバルブ、光源装置など発熱しやすいものが考えられる。
【００１２】
上記プロジェクタにおいて、
前記第１のダクト部により、前記投写光学系の前面またはその近傍に導かれた前記風を、前記プロジェクタの所定の光学部品へ、該所定の光学部品を冷却するために導く第２のダクト部を備えてもよい。
【００１３】
このようにすれば、投写光学系の前面またはその近傍に導かれた風をさらに用いて、プロジェクタの所定の光学部品を冷却することができる。従って、冷却のためのファンを新たに設ける必要がない。
【００１４】
上記プロジェクタにおいて、前記第１のダクト部は、前記ファン部からの前記風を、上方から下方へ前記投写光学系の前面またはその近傍に導くようにしてもよい。
【００１５】
このようにすれば、ファン部からの風を重力に逆らうことなく、投写光学系の前面またはその近傍に導くことができる。従って、風を投写光学系の前面またはその近傍に導いた際に、埃が落下しやすい。
【００１６】
上記プロジェクタにおいて、
前記投写光学系の前面またはその近傍に導かれる前記風は前記プロジェクタの外部から取り込まれると共に、前記風が前記外部から前記前面またはその近傍に至るまでの流路中に、
通過した空気に含まれる少なくとも塵またはヤニを取り除くフィルタを備えてもよい。
【００１７】
このようにすれば、投写光学系の前面またはその近傍に、清浄な風を導くことができるので、塵やタバコのヤニなどが付着することが少なくなる。
【００１８】
上記目的の少なくとも一部を達成するために、本発明の画像投写システムは、画像を投写するプロジェクタを備えた画像投写システムであって、
前記プロジェクタを覆い、前記プロジェクタが画像を投写した際に画像を表わす画像光を透過する画像透過部を備えたプロジェクタカバーと、
風を送るファン部と、
前記プロジェクタ保護部における前記画像光透過部に、前記ファン部から送られてくる前記風を導くダクト部と、
を備えたことを要旨とする。
【００１９】
このようにすれば、例え、空気中に含まれる塵やタバコのヤニなどが、画像光透過部に近づこうとしても、導かれた風により遮られるため、画像光透過部に塵やタバコのヤニなどが付着するのを容易に抑止することができる。従って、プロジェクタの投写画像の画質の低下を防ぐことができる。
【００２０】
上記画像投写システムにおいて、
前記ファン部は、
通過する空気に含まれる少なくとも塵またはヤニを取り除くフィルタを備え、
前記フィルタにより少なくとも塵またはヤニを取り除いた空気を前記風として送るようにしてもよい。
また、前記ダクト部は、
通過する空気に含まれる少なくとも塵またはヤニを取り除くフィルタを備えてもよい。
【００２１】
このようにすれば、画像光透過部に、清浄な風を導くことができるので、塵やタバコのヤニなどが付着することが少なくなる。
【発明を実施するための最良の形態】
【００２２】
以下では、本発明の実施の形態を実施例に基づいて以下の手順で説明する。
Ａ．第１の実施例：
Ａ１．プロジェクタの設置：
Ａ２．プロジェクタの光学系：
Ａ３．プロジェクタの部品の配置：
Ａ４．効果：
Ｂ．第２の実施例：
Ｃ．第３の実施例：
Ｄ．第４の実施例：
Ｅ．変形例：
【００２３】
Ａ．第１の実施例：
Ａ１．プロジェクタの設置：
まず、図１を用いて、本発明の第１の実施例におけるプロジェクタ１０００が設置された様子を説明する。
図１は、本発明の第１の実施例におけるプロジェクタが設置された様子を示した概略図である。本実施例におけるプロジェクタ１０００は、図１に示すごとく、接続部１１００を介して天井に固定されている。プロジェクタ１０００は、投写光学系３８０から画像を形成する光、つまり画像光を投写する。なお、以下では、プロジェクタ１０００が画像を投写する方向をy軸とし、ｙ軸に対して垂直であり天井に対して平行な方向をｘ軸とし、ｘ軸およびｙ軸に垂直である方向をｚ軸として説明する。
【００２４】
Ａ２．プロジェクタの光学系：
次に、図２を用いて、本実施例におけるプロジェクタ１０００の光学系について説明する。
図２は、第１の実施例におけるプロジェクタの光学系を示す概略構成図である。プロジェクタ１０００は、光学系として、照明光学系１００と、色光分離光学系２００と、リレー光学系２２０と、３つの液晶ライトバルブ３００Ｒ，３００Ｇ，３００Ｂと、クロスダイクロイックプリズム３６０と、投写光学系３８０とを備えている。
【００２５】
照明光学系１００は、光源装置１２０と、第１のレンズアレイ１２１と、第２のレンズアレイ１２２と、偏光変換素子１３０と、重畳レンズ１４０とを備えている。光源装置１２０から射出された光線束は、第１のレンズアレイ１２１によって、複数の微少な部分光線束に分割され、各部分光束線は、第２のレンズアレイ１２２および重畳レンズ１４０によって、照明対象である３つの液晶ライトバルブ３００Ｒ、３００Ｇ、３００Ｂの光入射面上で、重畳される。すなわち、第１のレンズアレイ１２１と、第２のレンズアレイ１２２と、重畳レンズ１４０とは、照明対象である３つの液晶ライトバルブ３００Ｒ，３００Ｇ，３００Ｂをほぼ均一に照明するインテグレータ照明光学系を構成する。偏光変換素子１３０は、非偏光な光を３つの液晶ライトバルブ３００Ｒ、３００Ｇ、３００Ｂで利用可能な偏光方向を有する偏光光に揃える。
【００２６】
色光分離光学系２００は、照明光学系１００から射出される照明光を、それぞれ異なる波長域の３色の光に分離する。第１のダイクロイックミラー２０２は、略赤色の光を透過させると共に、透過された色の光よりも短波長側の色の光を反射する。第１のダイクロイックミラーを透過したＲ光は、反射ミラー２０８で反射され、フィールドレンズ２３２を通ってＲ用の液晶ライトバルブを照明する。
【００２７】
第１のダイクロイックミラー２０２で反射されたＧ光とＢ光のうちで、Ｇ光は、第２のダイクロイックミラー２０４によって反射され、フィールドレンズ２３４を通ってＧ用の液晶ライトバルブ３００Ｇを照明する。一方、Ｂ光は、第２のダイクロイックミラー２０４を透過しリレー光学系２２０を通過して、Ｂ用の液晶ライトバルブ３００Ｂを照明する。
【００２８】
リレー光学系２２０は、入射側レンズ２２２と、第１の反射ミラー２２４と、リレーレンズ２２６と、第２の反射ミラー２２８と、射出側レンズ２３０（フィールドレンズ）とを備えている。色光分離光学系２００から射出されたＢ光は、入射側レンズ２２２によってリレーレンズ２２６の近傍で収束し、射出側レンズ２３０に向けて発散する。射出側レンズ２３０に入射する光線束の大きさは、入射側レンズ２２２に入射する光線束の大きさにほぼ等しくなるように設定されている。
【００２９】
各色用の液晶ライトバルブ３００Ｒ、３００Ｇ、３００Ｂは、与えられた画像情報に従って、それぞれの光入射面から入射した色光を変調し、変調した光を透過光として射出する。
【００３０】
クロスダイクロイックプリズム３６０は、各色用の液晶ライトバルブ３００Ｒ、３００Ｇ、３００Ｂから射出される各色の変調光を合成して合成光として投写光学系３８０の方向に射出する。投写光学系３８０は、可変焦点レンズや変倍レンズなどの複数のレンズを備えており、これらのレンズによって、合成光の表す画像をスクリーンＳＣに投写する。なお、投写光学系３８０において、画像を投写する側の面を前面とする。また、投写光学系３８０が備えるレンズの中で、最前面に位置するレンズを、特にレンズＸとも呼ぶ。このレンズＸは、当然のことながら、外部の空気と接している。
【００３１】
以上のようにして、プロジェクタ１０００により、スクリーンＳＣ上に画像が投写表示される。
【００３２】
なお、上述した照明光学系１００、色光分離光学系２００、液晶ライトバルブ３００Ｒ，３００Ｇ，３００Ｂ、リレー光学系２２０、クロスダイクロイックプリズム３６０、投写光学系３８０の各部の詳細は、例えば、国際公開番号ＷＯ０２／０５６１１０Ａ１に述べられているので、ここでは省略する。
【００３３】
Ａ３．プロジェクタの部品の配置：
次に、本実施例におけるプロジェクタ１０００の部品の配置について説明する。上述した各光学部品は、後述する基枠６００に搭載される。図３を用いて、各光学部品が基枠６００に搭載された状態を説明する。
【００３４】
図３は、プロジェクタの各光学部品等が搭載された基枠の概略を示す斜視図である。図３に示すように、基枠６００には、上述した照明光学系１００、色光分離光学系２００、リレー光学系２２０、３つの液晶ライトバルブ３００Ｒ，３００Ｇ，３００Ｂ、クロスダイクロイックプリズム３６０、および投写光学系３８０などを構成する種々の光学部品が搭載されている。投写光学系３８０は、投写光学系カバー３８２により基枠６００に固定されている。また、本実施例では、投写光学系３８０上にファン部７８０と、ダクト７７０が設けられている。これらについての詳細は、後述する。
【００３５】
上述した各光学部品、ファン部７８０等を搭載した基枠６００は、筐体８００に収納される。
図４は、基枠６００が収納された筐体８００の概略を示す斜視図である。筐体８００の上蓋部分の略中央には図１の接続部１１００と接続される留具８１１が備えられている。この留具８１１は、雄ネジとなっており、接続部１１００にねじ込むことで接続部１１００と接続される。また、ｘ軸方向において、留具８１１の隣には、通風孔７８５、７８６が備えられている。一方、下蓋部分には、図４に示すように、光学部品、ファン部７８０等を搭載した基枠６００が、投写光学系３８０の画像投写方向がｙ軸方向に向けられるよう収納される。また、図４には図示されていないが、基枠６００に搭載されているクロスダイクロイックプリズム３６０もしくは液晶ライトバルブ３００Ｒ，Ｇ，Ｂの下方には、ファン部６６０が備えられている。さらに、図４には図示されていないが、筐体８００には、ファン部６６０へ風を送るための通風孔７８７が備えられている。
【００３６】
なお、ファン部６６０およびファン部７８０には、それぞれ風を送るファン（図示せず）と塵やタバコのヤニなどを取り除くフィルタ（図示せず）が備えられている。ファンとしては、例えば、シロッコファンなどを用いることができる。また、フィルタは、ファンの前または後に設置されている。このようにすれば、ファン部６６０およびファン部７８０は、塵やタバコのヤニなどを取り除いた（減少させた）清浄な風を送ることができる。
【００３７】
ここで、ファン部７８０およびダクト７７０の設置について、図５を用いて、さらに詳しく説明する。
【００３８】
図５は、本実施例において、ｙ軸に平行な投写光学系の中心を通り、ｚ軸に平行な断面をｘ軸方向から示した概略断面図である。
図５に示すように、ファン部７８０およびダクト７７０は、投写光学系３８０上に設けられている。具体的には、ファン部７８０は、クロスダイクロイックプリズム３６０が設置されている側の投写光学系３８０の上方に設置される。ダクト７７０は、投写光学系カバー３８２と投写光学系３８０の間に設けられ、さらに、ダクト７７０のダクト口の一方は、ファン部７８０と接続されている。また、ダクト口のもう一方（以下、ダクト口Ａとも呼ぶ。）は、投写光学系３８０のレンズＸの前面に向くように設置されている。
【００３９】
このようにすれば、ファン部７８０により、通風孔７８５から取り入れた風を投写光学系３８０のレンズＸの前面に当てることができる。
【００４０】
なお、上述したように、ファン部６６０は、クロスダイクロイックプリズム３６０もしくは液晶ライトバルブ３００Ｒ，Ｇ，Ｂが搭載されている基枠６００の下方に設置されている。また、クロスダイクロイックプリズム３６０、液晶ライトバルブ３００Ｒ，Ｇ，Ｂが搭載された部分の基枠６００には、ファン部６６０からの風を通す通風孔７８８が備えられている。ファン部６６０を可動させると、通風孔７８７からの風が取り入れられ、さらに、その風は、通風孔７８８を通って、クロスダイクロイックプリズム３６０や液晶ライトバルブ３００Ｒ，Ｇ，Ｂの側面を通過し、筐体８００に備えられた通風孔７８６を通って、外部に排出される。
【００４１】
このようにすれば、クロスダイクロイックプリズム３６０や液晶ライトバルブ３００Ｒ，Ｇ，Ｂなどから発生する熱を外部に排出することができる。
【００４２】
Ａ４．効果：
以上のように、本実施例のプロジェクタ１０００では、投写光学系カバー３８２と投写光学系３８０との間にダクト７７０を設け、そのダクト口の一方をファン部７８０と接続し、他方のダクト口Ａを投写光学系３８０のレンズＸの前面に向けている。このようにすれば、ファン部７８０により、通風孔７８５から取り入れた風を投写光学系３８０のレンズＸの前面に当てることができ、例え、空気中に含まれる塵やタバコのヤニなどが、投写光学系の前面に近づこうとしても、レンズＸの前面に当てられる風により遮られるため、投写光学系の前面に塵やタバコのヤニなどが付着するのを容易に抑止することができる。従って、プロジェクタの投写画像の画質の低下を防ぐことができる。
【００４３】
また、ダクト７７０のダクト口Ａは、下方にむけられて設置されており、ファン部７８０からの風は上方から下方へレンズＸの前面に導かれる。このようにすれば、ファン部７８０からの風を重力に逆らうことなく、レンズＸの前面に導くことができる。従って、風をレンズＸの前面に導いた際に、埃が落下しやすい。
【００４４】
Ｂ．第２の実施例：
本発明の第２の実施例について以下に説明する。本実施例のプロジェクタは、第１の実施例のプロジェクタと基本的に同様の構成となっている。本実施例のプロジェクタが、第１の実施例と相違する主たる点は、第１の実施例のプロジェクタは、ファン部７８０により通風孔７８５から取り入れた風を投写光学系３８０のレンズＸの前面に導いているだけであるのに対して、本実施例のプロジェクタは、投写光学系３８０のレンズＸの前面に導いた風を、プロジェクタ１０００の光学部品であるクロスダイクロイックプリズム３６０や液晶ライトバルブ３００Ｒ，Ｇ，Ｂに導いて、ファン部６６０を用いずに、それら光学部品を冷却している点である。この第１の実施例との相違点を主とし、図６を用いて、本実施例を説明する。
【００４５】
図６は、第２の実施例において、ｙ軸に平行な投写光学系の中心を通り、ｚ軸に平行な断面をｘ軸方向から示した概略断面図である。
本実施例では、図６に示すように、ダクト７７０のダクト口Ａの先端が、レンズＸの前面に対して略平行になるように形成されている。これにより、ファン部７８０からの風をレンズＸの前面に対して略平行に導くことができる。また、投写光学系３８０の下面には、ダクト９５０が形成されている。ダクト９５０のダクト口Ｂには、上述のごとくダクト口ＡからレンズＸの前面に対して略平行に導かれた風が、流入するようになっている。このようにすれば、レンズＸの前面に対して略平行なエアカーテンが形成される。また、ダクト口Ｂから流入する風は、ダクト９５０を通り、さらには通風孔７８８を介してクロスダイクロイックプリズム３６０や液晶ライトバルブ３００Ｒ，Ｇ，Ｂに送られる。この風は、クロスダイクロイックプリズム３６０や液晶ライトバルブ３００Ｒ，Ｇ，Ｂを冷却し、通風孔７８６から排出される。
【００４６】
以上のように、本実施例では、ダクト７７０のダクト口ＡからレンズＸに対して略平行に導かれた風が、レンズＸの前面の近傍を経由して、ダクト９５０のダクト口Ｂに流入することにより、レンズＸの前面の近傍には、レンズＸの前面に対して略平行なエアカーテンが形成される。従って、例え、空気中に含まれる塵やタバコのヤニなどが、レンズＸの前面に近づこうとしても、このエアカーテンにより遮られるため、投写光学系の前面に塵やタバコのヤニなどが付着するのを容易に抑止することができる。その結果、プロジェクタの投写画像の画質の低下を防ぐことができる。
【００４７】
また、ダクト９５０のダクト口Ｂに流入した風は、さらにダクト９５０を通り、クロスダイクロイックプリズム３６０や液晶ライトバルブ３００Ｒ，Ｇ，Ｂに送られる。従って、この風を用いてクロスダイクロイックプリズム３６０や液晶ライトバルブ３００Ｒ，Ｇ，Ｂを冷却することができ、冷却のためのファンを新たに設ける必要がない。
【００４８】
Ｃ．第３の実施例：
本発明の第３の実施例について以下に説明する。本実施例のプロジェクタは、第１の実施例のプロジェクタと基本的に同様の構成となっている。本実施例のプロジェクタが、第１の実施例と相違する主たる点は、第１の実施例のプロジェクタは、ファン部７８０により通風孔７８５から取り入れた風を投写光学系３８０のレンズＸ前面に導いているのに対して、本実施例のプロジェクタは、ファン部７８０を用いず、プロジェクタ１０００の光学部品であるクロスダイクロイックプリズム３６０や液晶ライトバルブ３００Ｒ，Ｇ，Ｂを冷却した後の風を投写光学系３８０のレンズＸ前面に導いている点である。この第１の実施例との相違点を主とし、図７を用いて、本実施例を説明する。
【００４９】
図７は、本実施例において、ｙ軸に平行な投写光学系の中心を通り、ｚ軸に平行な断面をｘ軸方向から示した概略断面図である。
本実施例では、図７に示すように、クロスダイクロイックプリズム３６０と液晶ライトバルブ３００Ｒ，Ｇ，Ｂの上方に風誘導板９９９が備えられている。この風誘導板９９９は、ファン部６６０による、クロスダイクロイックプリズム３６０や液晶ライトバルブ３００Ｒ，Ｇ，Ｂを冷却した後の風を、投写光学系３８０の上方付近に導く役割を担っている。また、投写光学系３８０の上方に設置されたダクト７７０のダクト口Ａは、第１の実施例と同様に投写光学系３８０のレンズＸの前面に向くように設置され、ダクト口のもう一方は、クロスダイクロイックプリズム３６０のある区画の上方付近と連通している。
【００５０】
以上のようにすれば、ファン部６６０によるクロスダイクロイックプリズム３６０や液晶ライトバルブ３００Ｒ，Ｇ，Ｂを冷却した後の風は、風誘導板９９９により投写光学系３８０の上方に誘導され、さらには、ダクト７７０を介して、投写光学系３８０のレンズＸの前面に送られる。従って、風を投写光学系３８０のレンズＸの前面に導くために、新たにファンを設けることない。
【００５１】
Ｄ．第４の実施例：
以下に、図８を用いて、第４の実施例におけるプロジェクタを用いた画像投写システムついて説明する。
【００５２】
図８は、第４の実施例における画像投写システムを示す概略構成図である。
本実施例における画像投写システムは、主にプロジェクタ２０００と、保護ガラス２１００と、ファン部２３００と、ダクト２４００とで構成される。図８に示すように、プロジェクタ２０００は、接続部２２００を介して天井に設置されている。このプロジェクタ２０００は、保護ガラス２１００に密閉されている。また、プロジェクタ２０００は、ｙ軸方向にあるスクリーンＳＣに向けて画像を投写表示することができる。この場合に、プロジェクタ２０００は、保護ガラス２１００を介してスクリーンＳＣに画像を投写表示するが、保護ガラス２１００において、画像を表わす画像光が透過する領域を画像光透過領域２５００とする。
【００５３】
一方、プロジェクタ２０００が設置された天井裏には、ダクト２４００が設けられている。また、ダクト２４００の一方のダクト口は、ファン部２３００に接続され、もう一方のダクト口は、保護ガラス２１００における画像光透過領域２５００に向けて設置されている。また、ファン部２３００は、通過する空気に含まれる塵やタバコのヤニなどを取り除いて清浄するフィルタが備えられており、プロジェクタ２０００が設置された屋内の空気をフィルタを介して、ダクト２４００へ風として送っている。
【００５４】
以上のようにすれば、ファン部２３００により、フィルタにより清浄された風を、ダクト２４００を介して、画像光透過領域２５００に当てることができる。従って、例え、空気中に含まれる塵やタバコのヤニなどが、画像光透過領域２５００に近づこうとしても、画像光透過領域２５００に当てられた風により遮られるため、画像光透過領域２５００に塵やタバコのヤニなどが付着するのを容易に抑止することができる。その結果、プロジェクタ３０００の投写画像の画質の低下を防ぐことができる。
【００５５】
Ｅ．変形例：
なお、本発明では、上記した実施の形態に限られるものではなく、その要旨を逸脱しない範囲において種々の態様にて実施することが可能である。
【００５６】
Ｅ１．変形例１：
上記第１ないし第３の実施例のいずれかにおいて、投写光学系３８０が可動式のプロジェクタを用いてもよい。投写光学系が可動式なものとしては、例えば、投写光学系が、あおり方向（上方向）に動くものや、上下左右方向に動くものがある。これらの投写光学系が可動式である本変形例１のプロジェクタ３０００について、投写光学系が上下左右方向に可動するものとして、図９を用いて、以下に説明する。
【００５７】
図９は、本変形例におけるプロジェクタを説明するための概略構成図である。（Ａ）は、本変形例におけるプロジェクタを前面から見た概略図である。プロジェクタ３０００の光学部品等は筐体８０１に収納されている。プロジェクタ３０００の略中心には、投写光学系３８５が備えられている。投写光学系３８５のｘ軸もしくはｚ軸方向には、投写光学系３８５の可動領域３９０が設けられている。投写光学系３８５の上方には、後述するダクト７７７が備えられている。（Ｂ）は、ｙ軸に平行な投写光学系の中心を通り、ｚ軸に平行な断面をｘ軸方向から示した概略断面図である。図に示されるように、投写光学系３８５は、可動部３９５によりｚ軸方向に可動する。この図には示されていないが、投写光学系３８５には、ｙ軸方向にも可動する可動部３９５が備えられている。ファン部７８１は、筐体８０１に備えられた通風孔７８９から風を取り入れ、ダクト７７７へ風を送る。可動領域３９０の上方には、ファン部７８１と、ダクト７７７が備えられている。ダクト７７７は、管状であり、ダクト口の一方は、ファン部７８１と接続されている。ダクト口のもう一方（以下、ダクト口Ｃと呼ぶ。）は、筐体８０１からｙ軸方向へ突出し、先端付近が蛇腹状になっている。この蛇腹状の部分を操作することにより、ダクト口Ｃを伸縮させたり、方向を変えたりすることができる。また、ダクト口Ｃの先端の大きさは、ダクト７７７の管径と同程度である。なお、（Ｂ）において、投写光学系３８５以外に示されている他の光学部品の説明については省略する。
【００５８】
以上のようにすれば、可動部３９５により、投写光学系３８５が可動しても、ダクト７７７のダクト口Ｃの蛇腹状になった部分を操作することにより、ダクト口Ｃを投写光学系３８５の前面に向けることができる。従って、投写光学系３８５が可動する場合であっても、ファン部７８１から送られた風を、ダクト７７７のダクト口Ｃを介し投写光学系３８５の前面に導くことができる。その結果、投写光学系３８５に塵やタバコのヤニなどが付着するのを容易に抑止することができるので、プロジェクタの投写画像の画質の低下を防ぐことができる。
【００５９】
なお、本変形例１においても種々の変形が可能である。本変形例１において、ダクト７７７のダクト口Ｃの形状は、先端付近が蛇腹状であり、その先端の大きさは、ダクト７７７の管径と同程度に細くなっているが、本発明は、これに限られるものではない。例えば、ダクト口Ｃの先端の形状をラッパ状にして、可動領域３９０全体に風を送るようにしてもよい。このようすれば、上記変形例１と同様に投写光学系３８５が可動した場合であっても、ファン部７８１から送られてくる風を、投写光学系３８５の前面に導くことができる。
【００６０】
Ｅ２．変形例２：
上記第１ないし第３の実施例のいずれかにおいて、投写光学系３８０のレンズＸの前方にシャッター（図示せず）を設けてもよい。この場合には、プロジェクタの電源がＯＦＦされると、シャッターが閉じて、レンズＸの前面が外部の空気と触れないようにする。このようにすれば、プロジェクタの電源がＯＦＦの時にも、レンズＸには、塵やタバコのヤニなどが付着しない。
【００６１】
Ｅ３．変形例３：
上記第１ないし第３の実施例のいずれかにおいて、ファン部６６０およびファン部７８０がフィルタを備えているが、本発明はこれに限られるものではない。例えば、第１ないし第３の実施例のいずれかにおいて、通風孔７８５、７８７および７８８付近、もしくは、ダクト７７０中にフィルタを備えていてもよい。このようにすれば、レンズＸの前面またはその近傍に、比較的清浄な風を導くことができるので、塵やタバコのヤニなどが付着することを抑止することができる。
【００６２】
また、第２の実施例において、ダクト９５０中、もしくは、通風孔７８８付近にフィルタを備えていてもよい。このようにすれば、クロスダイクロイックプリズム３６０や液晶ライトバルブ３００Ｒ，Ｇ，Ｂなどへ、清浄な風を冷却風として導くことができる。従って、クロスダイクロイックプリズム３６０や液晶ライトバルブ３００Ｒ，Ｇ，Ｂなどに塵やタバコのヤニなどが付着することを抑止することができる。
【００６３】
Ｅ４．変形例４：
上記第１ないし第３の実施例のいずれかにおいて、ダクト７７０から投写光学系３８０のレンズＸの前面に風を導く際には、上方から下方に向けて導いているが、本発明は、これに限られるものではない。例えば、左から右へ、右から左へ、または下から上へ、投写光学系３８０のレンズＸの前面に風を導いてもよい。
【００６４】
Ｅ５．変形例５：
上記第２の実施例において、ダクト７７０のダクト口Ａからダクト口Ｂに流入した風を用いて、クロスダイクロイックプリズム３６０や液晶ライトバルブ３００Ｒ，Ｇ，Ｂを冷却しているが、本発明は、これに限られるものではなく、ダクト口Ｂに流入した風を用いて種々の光学部品を冷却してもよい。例えば、ダクト口Ｂに流入した風を用いて光源装置１２０を冷却してもよい。
【００６５】
Ｅ６．変形例６：
上記第３の実施例において、クロスダイクロイックプリズム３６０や液晶ライトバルブ３００Ｒ，Ｇ，Ｂを冷却した後の風が、投写光学系３８０のレンズＸの前面に送られているが、本発明は、これに限られるものではなく、他の光学部品を冷却した後の風を投写光学系３８０のレンズＸの前面に送るようにしてもよい。例えば、光源装置１２０を冷却した後の風を投写光学系３８０のレンズＸの前面に送るようにしてもよい。
【図面の簡単な説明】
【００６６】
【図１】本発明の第１の実施例におけるプロジェクタが設置された様子を示した概略図である。
【図２】第１の実施例におけるプロジェクタの光学系を示す概略構成図である。
【図３】プロジェクタの各光学部品等が搭載された基枠の概略を示す斜視図である。
【図４】基枠６００が収納された筐体８００の概略を示す斜視図である。
【図５】第１の実施例において、ｙ軸に平行な投写光学系の中心を通り、ｚ軸に平行な断面をｘ軸方向から示した概略断面図である。
【図６】第２の実施例において、ｙ軸に平行な投写光学系の中心を通り、ｚ軸に平行な断面をｘ軸方向から示した概略断面図である。
【図７】第３の実施例において、ｙ軸に平行な投写光学系の中心を通り、ｚ軸に平行な断面をｘ軸方向から示した概略断面図である。
【図８】第４の実施例における画像投写システムを示す概略構成図である。
【図９】変形例１におけるプロジェクタを説明するための概略構成図である。
【符号の説明】
【００６７】
１００...照明光学系
１２０...光源装置
１２１...第１のレンズアレイ
１２２...第２のレンズアレイ
１３０...偏光変換素子
１４０...重畳レンズ
２００...色光分離光学系
２０２...第１のダイクロイックミラー
２０４...第２のダイクロイックミラー
２２０...リレー光学系
２２２...入射側レンズ
２２４...第１の反射ミラー
２２６...リレーレンズ
２２８...第２の反射ミラー
２３０...射出側レンズ
２３４...フィールドレンズ
２４０...フィフィールドレンズ
３００Ｒ，３００Ｇ，３００Ｂ...液晶ライトバルブ
３６０...クロスダイクロイックプリズム
３８０...投写光学系
３８２...投写光学系カバー
６００...基枠
６６０...ファン
７８５〜７８８...通風孔
７７０...ダクト
７８０...ファン
８００...筐体
８１１...接続留具
９５０...ダクト
９９９...風誘導板
１０００...プロジェクタ
１１００...接続部
２０００...プロジェクタ
２１００...保護ガラス
２２００...接続部
２３００...ファン
２４００...ダクト
２５００...画像光透過領域
３０００...プロジェクタ
【図１】
2005173119.tif 000003
【図２】
2005173119.tif 000004
【図３】
2005173119.tif 000005
【図４】
2005173119.tif 000006
【図５】
2005173119.tif 000007
【図６】
2005173119.tif 000008
【図７】
2005173119.tif 000009
【図８】
2005173119.tif 000010
【図９】
2005173119.tif 000011